(57)【要約】      （修正有）【課題】扇風機に適用できる同期モータ伝動機構の保護カバーを提供する。【解決手段】扇風機の首振り回転ディスク中間部の内側に取り付けられ、凹み空間の円形カバーを形成し、凹み空間の内壁に複数の歯形状の内輪凹み溝を仕上げられ、外面にセンタ穴３３と、複数の締め付け穴部３４とを設けられ、扇風機同期モータ４の伝動カムシャフト４１と伝動機構の保護カバー３との間に連結ベース５を装着され、連結ベースは円形シート体を形成し、外面にセンタ穴５１を設け、側面の２つの対向位置には、それぞれ長い凹み状の収容溝５２が設けられ、コイルばね５Ａとロールボール５Ｂとを収容する。連結ベースを伝動カムシャフトに装着した後、保護カバーを連結ベースに覆い被せる時、２つのロールボールが内輪凹み溝にはじいて位置を固定させ、首振り回転ディスクと保護カバーとを結合させる。首振り回転ディスクが外力によって不適切に回されても保護され、扇風機の正常な稼働が確保される。【選択図】図１
0003188941.tif 000002
【実用新案登録請求の範囲】
【請求項１】
扇風機に適用できる同期モータ伝動機構の保護カバーであって、
首振り回転ディスクに取り付けられ、羽根を回して風量を発生して扇風機の外部に圧送でき、前記伝動機構の保護カバーは、前記首振り回転ディスク中間部の内側に位置され、前記伝動機構の保護カバーは凹み空間を有する円形カバーであり、前記凹み空間の内壁に複数の歯形状の内輪凹み溝を仕上げられ、外面にセンタ穴を開けていて、前記扇風機同期モータの伝動カムシャフトの穿設に用いられ、前記センタ穴の周りに複数の締め付け穴部を設け、前記首振り回転ディスク中間部の内側に装着されることに備え、前記同期モータの前記伝動カムシャフトの軸端に凹みリングを設けられ、連結ベースの前記センタ穴と前記伝動機構の保護カバーとを貫いて、Ｃ止め輪によって前記伝動カムシャフトの軸端に係着して固定させ、前記扇風機の前記同期モータの前記伝動カムシャフトと前記伝動機構の保護カバーとの間に前記連結ベースをさらに装着しており、前記連結ベースは円形シート体であり、外面は前記同期モータの前記伝動カムシャフトの穿設に備える前記センタ穴を開けられ、側面の２つの対向位置は、コイルばねとロールボールとを収容するため、それぞれ長い凹み状の収容溝を設けられ、前記２つの収容溝に備える２つの対向位置は、貫通穴を開けていて、通しピンを穿設するときに、前記伝動カムシャフトの前記貫通穴を貫いて、前記連結ベースと前記同期モータとを一体に連結しておき、前記連結ベースを前記扇風機の前記同期モータの前記伝動カムシャフトに装着して、前記伝動機構の保護カバーを前記連結ベースに覆い被せたときに、前記２つのロールボールを前記内輪凹み溝にて固定して置き、前記首振り回転ディスクと前記伝動機構の保護カバーとを結合することによって、前記同期モータを起動するときの回動力量を軽減できると共に、前記首振り回転ディスクが外力によって不適切に回されると、前記連結ベースに取り付けられた前記２つのロールボールと、前記コイルばねは引き込むかまたは前記伝動機構の保護カバーの前記内輪凹み溝にはじかれることによって、前記同期モータの前記伝動カムシャフトは突然な外力に影響されることなく、正常な稼働を維持できるほか、前記首振り回転ディスクを損傷されずに、前記扇風機の正常な稼働と使用寿命を延長できる扇風機に適用できる同期モータ伝動機構の保護カバー。
【考案の詳細な説明】
【技術分野】
【０００１】
本考案は扇風機に適用できる同期モータ伝動機構の保護カバーである。連結ベースを扇風機同期モータの伝動カムシャフトに装着してから、伝動機構の保護カバーを組み付けて、最後に首振り回転ディスクと伝動機構の保護カバーとを結合させることによって、同期モータを起動するときの回動作用力が軽減されると共に、首振り回転ディスクを破損させることなく、扇風機の正常な稼働が確保されると共に、使用寿命を延長できる。
【背景技術】
【０００２】
現在、扇風機の種類は多く有しており、羽根を回して風量を発生して圧送し、タイマー式及びさまざまな回動方向に送風されるほか、空気を冷まして送風されるかまたはリモコン操作式、さらに複数の扇風機によって、それぞれの方向に送風させるなど多種多様である。しかし、そのうち首振り回転式と箱体式の扇風機が最も一般的である。
【考案の概要】
【考案が解決しようとする課題】
【０００３】
箱体式の扇風機のファン本体は、首振り回転式と固定式に分けることができる。この２種の扇風機による風量の圧送は、扇風機同期モータに備える伝動カムシャフトに首振り回転ディスクを取り付けて回転させている。しかし、同期モータによって、首振り回転ディスクを駆動して首振りするときに、首振り回転ディスクが強い風にさらされているため、同期モータにかなり大きい抗力がかかってしまい、このときに、外力（子供のいたずらなど）によって逆方向に回されると、首振り回転ディスクの磨耗をきたして、隙間がますます大きくなり、ついに正常な首振りができなくなるか、首振りが止まってしまい、あるいは高速に首振りされるなどの不具合が生じる。さらに、同期モータの伝動カムシャフトが瞬間的な外力を受けると、損傷されもしくは使用寿命を短縮される原因となる。
【課題を解決するための手段】
【０００４】
そのため、考案者が扇風機に適用できる同期モータ伝動機構の保護カバーを考案し、本考案を出願することになった。本考案の一目的は、連結ベースを扇風機同期モータの伝動カムシャフトに装着してから、伝動機構の保護カバーを組み付けて、最後に首振り回転ディスクと伝動機構の保護カバーとを結合させることによって、同期モータを起動するときの作用力を軽減できるほか、首振り回転ディスクの損傷から保護して置き、扇風機の正常な稼働を確保できると共に、使用寿命を延長できる扇風機に適用できる同期モータ伝動機構の保護カバーを提供される。
【０００５】
本考案の一目的は、首振り回転ディスクによって、扇風機の羽根の回動によって発生する風量を外側に圧送させる、扇風機に適用できる同期モータ伝動機構の保護カバーを提供する。
【０００６】
本考案の一目的は、伝動機構の保護カバーは凹み空間を有する円形シート体を形成され、凹み空間の内壁に複数の歯形状の内輪凹み溝を仕上げられ、外面にセンタ穴を開けていて、同期モータの伝動カムシャフトの穿設に用いられ、センタ穴の周りに複数の締め付け穴部を設けて、首振り回転ディスク中心位置の内側に装着する、扇風機に適用できる同期モータ伝動機構の保護カバーを提供する。
【０００７】
本考案の一目的は、扇風機の伝動カムシャフトと伝動機構の保護カバーとの間に連結ベースを装着され、連結ベースは円形シート体を形成していて、表面は同期モータの伝動カムシャフトの穿設に用いるセンタ穴を開けられ、側面の２つの対応位置はそれぞれ凹み状の収容溝を設けて、コイルばねとロールボールとを収容しており、２つの収容溝に備える２つの対向位置に貫通穴を開けていて、通しピンを穿設するときに、伝動カムシャフトの貫通穴を貫いて、連結ベースと同期モータとを一体に形成する、扇風機に適用できる同期モータ伝動機構の保護カバーを提供する。
【０００８】
本考案の一目的は、連結ベースはセンタ穴を扇風機同期モータの伝動カムシャフトに装着することによって、伝動機構の保護カバーのセンタ穴を連結ベースのセンタ穴の同期モータの伝動カムシャフトに装着するとき、凹み空間を連結ベースに覆い被せると同時に、連結ベースの２つのロールボールも合わせて内輪凹み溝にはじいて位置に固定され、Ｃ止め輪を伝動カムシャフトの凹みリングに係着して固定させ、首振り回転ディスクを伝動機構の保護カバーに結合する、扇風機に適用できる同期モータ伝動機構の保護カバーを提供する。
【０００９】
本考案の一目的は、連結ベースと伝動機構の保護カバーとを扇風機同期モータの伝動カムシャフトと首振り回転ディスクとの間に取り付けることによって、取り外し交換、保守に便利を提供する、扇風機に適用できる同期モータ伝動機構の保護カバーを提供する。
【図面の簡単な説明】
【００１０】
【図１】本考案の態様を示す図である（その１）。
【図２】本考案の態様を示す図である（その２）。
【図３】本考案の態様を示す図である（その３）。
【図４】本考案の結合後の態様を示す図である（その１）。
【図５】本考案の結合後の態様を示す図である（その２）。
【図６】本案の組立位置を示す図である。
【図７】本考案を組み立てた後に、回動の態様を示す図である。
【考案を実施するための形態】
【００１１】
まず、図１〜３を参照する。本考案の扇風機に適用できる同期モータ伝動機構の保護カバーは、首振り回転ディスク１に取り付けて、扇風機羽根の回動によって形成する風量を扇風機２の外部に圧送される（図６に示す）。そのうち、伝動機構の保護カバー３は首振り回転ディスク１の中間部の内側に位置し、伝動機構の保護カバー３は凹み空間３１を有する円形カバーであり、凹み空間３１の内壁に複数の歯形状の内輪凹み溝３２を仕上げられ、外面にセンタ穴３３を開けていて、扇風機２の同期モータ４の伝動カムシャフト４１の穿設に用いられる。センタ穴３３の周りに複数の締め付け穴部３４を設けられ、首振り回転ディスク１中間部の内側に装着される。同期モータ４の伝動カムシャフト４１の軸端に凹みリング４１１を設け、連結ベース５のセンタ穴５１と、伝動機構の保護カバー３のセンタ穴３３とを貫き、Ｃ止め輪４Ａによって、伝動カムシャフト４１の軸端の凹みリング４１１に係着して固定を形成し、扇風機２同期モータ４の伝動カムシャフト４１と伝動機構の保護カバー３との間は連結ベース５をさらに装着しており、連結ベース５は円形シート体であり、外面にセンタ穴５１を開けていて、同期モータ４の伝動カムシャフト４１の穿設に用いられ、側面の２つの対向位置にそれぞれ凹み状の収容溝５２を設けていて、コイルばね５Ａとロールボール５Ｂとを収容して置き、２つの収容溝５２の２つの対向位置に貫通穴５３を開けられ、通しピン５Ｃを通すときに、伝動カムシャフト４１１の貫通穴４１２を貫いて、連結ベース５と同期モータ４とを一体に結合させる。
【００１２】
引き続き、連結ベース５を扇風機２の同期モータ４の伝動カムシャフト４１に装着してから、伝動機構の保護カバー３を連結ベース５に覆い被せるときは、２つのロールボール５Ｂとコイルばね５Ａとを内輪凹み溝３２にはじいて位置制限して置き（図４、５に示す）、首振り回転ディスク１を伝動機構の保護カバー３（図６に示す）に結合させ、同期モータ４を起動した後は、伝動カムシャフト４１によって、首振り回転ディスク１を連動して、定速度に回動（図７に示す圖）される。
【００１３】
同期モータ４を起動すると、首振り回転ディスク１の定速度回動を駆動し、羽根の回動によって形成される風量を外部に圧送させる。同期モータ４による連動は首振り回転ディスク１に直結された伝動機構の保護カバー３を駆動するのではなく、連結ベース５を介して作動させているため（図１、７に示す）、同期モータ４の起動による回動力量を軽減できる。
【００１４】
さらに、首振り回転ディスク１は外力によって不適切に回されると、連結ベース５に備える２つのロールボール５Ｂとコイルばね５Ａによって、引き込むかまたは伝動機構の保護カバー３の内輪凹み溝３２に弾かれる。すなわち、２つのロールボール５Ｂを別の位置の内輪凹み溝３２に移動させることによって、同期モータ４の伝動カムシャフト４１は突然な外力の影響を受けることなく、正常な稼働を維持し、首振り回転ディスク１は損傷されずに、使用寿命を延長できる。
【００１５】
連結ベース５と伝動機構の保護カバー３が扇風機２同期モータ４の伝動カムシャフト４１と首振り回転ディスク１との間に位置しているため、扇風機２の他の部分を取り外す必要はなく、便利かつ簡単に交換、保守することができる。
前述とおり、本考案は特許法第１０４条による成立要件を満たしており、よって、法により出願し、ご許可願いたく。
【符号の説明】
【００１６】
１            首振り回転ディスク
２            扇風機
３            伝動機構の保護カバー
３１            凹み空間
３２            内輪凹み溝
３３            センタ穴
３４            締め付け穴部
４            同期モータ
４１            伝動カムシャフト
４１１            凹みリング
４１２            貫通穴
４Ａ            Ｃ止め輪
５            連結ベース
５１            センタ穴
５２            収容溝
５３            貫通穴
５Ａ            コイルばね
５Ｂ            ロールボール
５Ｃ            通しピン
【図１】
0003188941.tif 000003
【図２】
0003188941.tif 000004
【図３】
0003188941.tif 000005
【図４】
0003188941.tif 000006
【図５】
0003188941.tif 000007
【図６】
0003188941.tif 000008
【図７】
0003188941.tif 000009